(57)【要約】【課題】  コード状切断部材による効率的な切断作用を達成することができると同時に、動力源（エンジン）の出力を効率利用することができ、さらに切断後の雑草の飛散を防止することができる草刈り機を提供する。【解決手段】機体１００の適部に配置される回転刃取付け軸１４と、この回転刃取付け軸１４に取付けられて回転する回転刃Ａと、と備える草刈り機Ｂであって、回転刃Ａは、回転刃取付け軸１４に取付けられて回転する保持部材２００と、保持部材２００に基端側が保持され、先端側が保持部材の半径方向外方に延出するコード状切断部材４と、を備えおり、機体１００に支持され、回転刃Ａの上位において、少なくとも保持部材２００を平面視において覆う飛散防止部材５００を備える。【選択図】  図２
2018068242.tif 000002
【特許請求の範囲】
【請求項１】
機体の適部に配置される回転刃取付け軸と、この回転刃取付け軸に取付けられて回転する回転刃と、と備える草刈り機であって、
上記回転刃は、上記回転刃取付け軸に取付けられて回転する保持部材と、上記保持部材に基端側が保持され、先端側が上記保持部材の半径方向外方に延出するコード状切断部材と、を備えおり、
上記機体に支持され、上記回転刃の上位において、少なくとも上記保持部材を平面視において覆う飛散防止部材を備えることを特徴とする、草刈り機。
【請求項２】
上記飛散防止部材の外縁は、平面視において、上記コード状切断部材の先端の旋回軌跡円より内側であって上記保持部材の外周より外側に位置する第１領域と、上記コード状切断部材の旋回軌跡円より外側に位置する第２領域とを有する、請求項１に記載の草刈り機。
【請求項３】
上記機体は、先端部に上記回転刃取付け軸を位置させた操作管を含んでおり、上記飛散防止部材の外縁の上記第１領域は上記操作管が延びる方向の前方側に位置し、上記第２領域は上記操作管が延びる方向の後方側に位置する、請求項２に記載の草刈り機。
【請求項４】
上記飛散防止部材の外縁の上記第１領域と旋回中の上記コード状切断部材との間隔は、５〜２５ｍｍである、請求項２または３に記載の草刈り機。
【請求項５】
上記保持部材は、上記コード状切断部材の基端側が連結される複数の連結部と、上記複数の連結部のいずれかに連結された上記コード状切断部材を掛け回して当該コード状切断部材の先端側を上記保持部材の半径方向外方に延出させる掛け回し部と、を備えており、
上記複数の連結部のうち、２以上の連結部に一端が連結された２本以上の上記コード状切断部材が、同一の上記掛け回し部に掛け回されて上記保持部材の半径方向外方に延出させられている、請求項１ないし４のいずれかに記載の草刈り機。
【請求項６】
上記複数の連結部から上記掛け回し部までの距離は、それぞれ異なる、請求項５に記載の草刈り機。
【請求項７】
上記複数の連結部は、上記保持部材の回転中心を中心とした円周方向に所定間隔で並んでいる、請求項６に記載の草刈り機。
【請求項８】
上記保持部材の下位において、上記保持部材の回転軸心を中心として上記保持部材に対して相対回転可能な接地部材をさらに備える、請求項１ないし７のいずれかに記載の草刈り機。
【発明の詳細な説明】
【技術分野】
【０００１】
本発明は、草刈り機に関し、より詳しくは、いわゆるナイロンコード式回転刃を備えた草刈り機に関する。
【背景技術】
【０００２】
田畑の土手等に生育する雑草等を除去するための器具として、携帯型動力草刈り機がある。この草刈り機は、刈払機とも呼ばれるタイプのものであり、一般には、小型エンジンによって発生させられる回転動力を操作管の先端に支持させた回転刃に伝えるように構成されており、作業者は、スロットルレバーによってエンジンないしこれによって回転させられる回転刃の回転を制御しつつ、操作管を左右に振回して所望の草刈り作業を行う。
【０００３】
特許文献１には、ナイロンコード式回転刃を備えた草刈り機が示されている。このナイロンコード式回転刃は、草刈り機の回転刃取付け軸に取付けられて回転させられる保持部材と、上記保持部材に基端側が保持され、先端側が上記保持部材の半径方向外方に延出させられるコード状切断部材と、を備えるとともに、上記保持部材は、その回転中心から半径方向に延出するとともに、円形外周をもつフランジ部を有しており、上記コード状切断部材が上記フランジ部の上面上を延出させられた構成を備えている。
【０００４】
上記構成のナイロンコード式回転刃を備えた草刈り機によれば、切断対象である雑草が必要以上に回転刃の半径方向内方に進入することをフランジ部が防止し、コード状切断部材の先端部が大きな周速をもって雑草を切断することができるため、効率のよい草刈り作業を行うことができる。
【０００５】
しかしながら、フランジ部は、保持部材およびコード状切断部材と一体に高速回転するため、小型エンジンの出力を効率よく利用することができないという問題がある。
【０００６】
また、四周に飛び散る切断後の雑草片が作業者にも及び、草刈り作業に支障を来すこともある。
【先行技術文献】
【特許文献】
【０００７】
【特許文献１】国際公開ＷＯ２０１３／１０００５９号公報
【発明の概要】
【発明が解決しようとする課題】
【０００８】
本発明は、上記した事情のもとで考え出されたものであって、コード状切断部材による効率的な切断作用を達成することができると同時に、動力源（エンジン）の出力を効率利用することができ、さらに切断後の雑草片の飛散を防止することができる草刈り機を提供することをその課題とする。
【課題を解決するための手段】
【０００９】
本発明によって提供される草刈り機は、機体の適部に配置される回転刃取付け軸と、この回転刃取付け軸に取付けられて回転する回転刃と、と備える草刈り機であって、上記回転刃は、上記回転刃取付け軸に取付けられて回転する保持部材と、上記保持部材に基端側が保持され、先端側が上記保持部材の半径方向外方に延出するコード状切断部材と、を備えおり、上記機体に支持され、上記回転刃の上位において、少なくとも上記保持部材を平面視において覆う飛散防止部材を備えることを特徴とする。
【００１０】
好ましい実施の形態では、上記飛散防止部材の外縁は、平面視において、上記コード状切断部材の先端の旋回軌跡円より内側であって上記保持部材の外周より外側に位置する第１領域と、上記コード状切断部材の旋回軌跡円より外側に位置する第２領域とを有する。
【００１１】
好ましい実施の形態では、上記機体は、先端部に上記回転刃取付け軸を位置させた操作管を含んでおり、上記飛散防止部材の外縁の上記第１領域は上記操作管が延びる方向の前方側に位置し、上記第２領域は上記操作管が延びる方向の後方側に位置する。
【００１２】
好ましい実施の形態では、上記飛散防止部材の外縁の上記第１領域と旋回中の上記コード状切断部材との間隔は、５〜２５ｍｍ、さらに好ましくは１０〜２０ｍｍである。
【００１３】
好ましい実施の形態では、上記保持部材は、上記コード状切断部材の基端側が連結される複数の連結部と、上記複数の連結部のいずれかに連結された上記コード状切断部材を掛け回して当該コード状切断部材の先端側を上記保持部材の半径方向外方に延出させる掛け回し部と、を備えており、上記複数の連結部のうち、２以上の連結部に一端が連結された２本以上の上記コード状切断部材が、同一の上記掛け回し部に掛け回されて上記保持部材の半径方向外方に延出させられている。
【００１４】
好ましい実施の形態では、上記複数の連結部から上記掛け回し部までの距離は、それぞれ異なる。
【００１５】
好ましい実施の形態では、上記複数の連結部は、上記保持部材の回転中心を中心とした円周方向に所定間隔で並んでいる。
【００１６】
好ましい実施の形態では、上記保持部材の下位において、上記保持部材の回転軸心を中心として上記保持部材に対して相対回転可能な接地部材をさらに備える。
【発明の効果】
【００１７】
動力源の出力によって回転刃取付け軸に取付けられた保持部材が回転することにより、この保持部材に基端側が保持されたコード状切部材が旋回し、雑草等の切断作用を行う。上記構成の草刈り機は、保持部材およびコード状切断部材（回転刃）の上位において機体に支持された飛散防止部材が設けられているので、この飛散防止部材は、切断された雑草片が作業者に向かって飛散することを阻止するとともに、地面から伸びる切断前の雑草が保持部材近傍まで進入することを阻止し、コード状切断部材の高速旋回する先端部によって雑草を効率良く切断することができる。このようにして、上記構成の草刈り機は、コード状切断部材による効率的な切断作用により、効率的な草刈り作業を行うことができるとともに、切断後の雑草片の飛散を防止することができる。加えて、飛散防止部材は機体に固定的に支持されていて回転しないので、特許文献１の草刈り機のように保持部材と一体回転するフランジを設ける場合に比較して、動力源の出力を効率利用することもできる。
【００１８】
本発明のその他の特徴および利点は、図面を参照して以下に行う詳細な説明によって、より明らかとなろう。
【図面の簡単な説明】
【００１９】
【図１】本発明の一実施形態にかかる草刈り機の要部平面図である。
【図２】図１のII-II線に沿う断面図である。
【図３】図１のIII-III線に沿う断面図である。
【図４】保持部材に対するナイロンコード（コード状切断部材）の取付け方法の説明図である。
【図５】保持部材に対するナイロンコード（コード状切断部材）の取付け方法の説明図である。
【発明を実施するための形態】
【００２０】
以下、本発明の好ましい実施の形態につき、図面を参照して具体的に説明する。
【００２１】
図１〜３は、本発明の一実施形態にかかる草刈り機Ｂを示す。この草刈り機Ｂは、機体１００と、ナイロンコード式回転刃Ａと、飛散防止部材５００とを有する。
【００２２】
本実施形態において、機体１００は、長手状に延びる操作管１１０の形態をとっている。この操作管１１０の基端部には動力源としての２サイクルガソリンエンジン（図示略）が連結されており、先端部にはナイロンコード式回転刃Ａが支持されている。動力源の回転出力は操作管１１０に通挿された伝動軸（図示略）を介して操作管１１０の先端部に伝達される。操作管１１０の先端部には、ギヤケース１２０が設けられており、伝動軸による動力をべベルギヤ機構（図示略）を介してギヤケース１２０の下方を向いて延びる回転刃取付け軸１４に伝達している。回転刃取付け軸１４には、その外周にスプラインが形成されているとともに、軸端には、軸方向に延びるねじ穴１４ａが形成されている。回転刃取付け軸１４には、金属製の回転刃押さえ１７がスプライン嵌合させられている。この回転刃押さえ１７の下面には、短軸円柱状の膨出部１７ａが形成されている。
【００２３】
ナイロンコード式回転刃Ａは、回転刃取付け軸１４に取付けられて回転する保持部材２００と、保持部材２００に基端側が保持され、先端側が保持部材２００の半径方向外方に延出するコード状切断部材４と、上記保持部材２００の下方において、この保持部材２００に対してその回転軸心を中心として相対回転可能に支持された接地部材３００とを備える。以下、このナイロンコード式回転刃Ａの具体的構成について説明する。
【００２４】
図２に良く表れているように、保持部材２００は、回転刃押さえ１７の膨出部１７ａの外径と対応した径の取付け孔２１１ａを中心に有する水平円盤状の取付け基部２１１と、この取付け基部２１１の外周部に上記取付け基部２１１の上面に連続する上面を有するとともに上記取付け基部２１１の厚みより肉厚状に形成された厚肉環状部２１２とを有し、たとえば樹脂により形成される。
【００２５】
厚肉環状部２１２は、複数本のナイロンコード４ａを保持する部位であり、直径方向に対向する２つの領域において、それぞれ次のような構成を有する。
【００２６】
厚肉環状部２１２には、当該厚肉環状部２１２が延びる円周方向に沿ってほぼ９０°の中心角の範囲で延びる断面矩形のコード挿通空間２１４が保持部材２００の直径方向に対向して２箇所形成され、これらのコード挿通空間２１４は、その一端が閉じ、他端が厚肉環状部２１２の外周面に開放している。コード挿通空間２１４の天井壁２１５には、４箇所のコード連結部２１６ａ，２１６ｂ，２１６ｃ，２１６ｄが等間隔で形成されている。各コード連結部２１６ａ，２１６ｂ，２１６ｃ，２１６ｄは、図３に良く表れているように、ナイロンコード４ａの一般部を通挿可能であり、大径部４ｂを挿通不可能な大きさの孔を天井壁２１５に貫通状に設けることにより形成される。さらに、コード挿通空間２１４の出口付近には、当該コード挿通空間２１４に挿通されたナイロンコード４ａの先端側の方向を変えて保持部材２００半径方向外方に延出させるための掛け回し部２１７が設けられている。本実施形態においてこの掛け回し部２１７は、図２に表れているように、厚肉環状部２１２の天井壁２１５と底部壁２１３との間に、これらを掛け渡すように配置したねじ２１８に套嵌するようにして所定外径の円筒状カラー２１９を介装することにより形成されている。
【００２７】
接地部材３００は、図２に表れているように、内側筒部３１０と、外側筒部３２０と、これらの下部間をつなぐ環状底板部３３０と、外側筒部３２０の下端から半径方向外方に延出するフランジ部３４０とを備え、環状底板部３３０の底面は水平な平坦面となっているとともに、フランジ部３４０の底面は半径方向外方に向かうほど上位に湾曲している。また、この接地部材３００の外径は、上記保持部材２００の外径と同等かもしくはそれよりやや小径とされている。この接地部材３００は、たとえば樹脂により形成される。
【００２８】
この接地部材３００は、回転刃取付け軸１４ないし保持部材２００と一体的なベアリング受け３５０と内側筒部３１０との間にベアリング３６０を介装することにより、回転刃取付け軸１４ないし保持部材２００に対して回転可能に支持されている。
【００２９】
上記構成のナイロンコード式回転刃Ａは、本実施形態においては、保持部材２００の取付け基部２１１の取付け孔２１１ａを回転刃押さえ１７の膨出部１７ａに外嵌し、取付け基部２１１の下面側にベアリング押さえ２３０を介して上記のように接地部材３００を回転可能に支持したベアリング受け３５０を重ね、ベアリング受け３５０の中心孔３５１およびベアリング押さえ２３０の中心孔２３１に下方から通した取付けボルト１５を回転刃取付け軸１４のねじ穴１４ａにねじ込むことにより、回転刃取付け軸１４に取付けられる。
【００３０】
本実施形態のナイロンコード式回転刃Ａにおいては、次のようにして、保持部材２００における周方向の同一個所から、各２本のナイロンコード４ａが延出させられている。ナイロンコード４ａは、図３〜５に良く表れているように、基端に大径部４０ｂを有し、３ｍｍ程度の太さと所定長さをもつ市販のナイロンコード４ａを用いることができる。
【００３１】
厚肉環状部２１２に各コード挿通空間２１４に沿って各４箇所設けたコード連結部２１６ａ，２１６ｂ，２１６ｃ，２１６ｄのうち、掛け回し部２１７から遠い順に、第１コード連結部２１６ａ、第２コード連結部２１６ｂ、第３コード連結部２１６ｃおよび第４コード連結部２１６ｄとし、２本のナイロンコード４ａを、図３および図４に示すように、第１および第２コード連結部２１６ａ，２１６ｂに基端を連結してコード挿通空間２１４に通し、掛け回し部２１７に掛け回して保持部材２００の半径方向外方に引き出す。これにより、２本のナイロンコード４ａが同一の掛け回し部２１７に掛け回され、保持部材２００の周方向の同一個所から半径方向外方に延出させられることになる。なお、ナイロンコード４ａの長さは、たとえば、第１コード連結部２１６ａに基端が連結された場合に、保持部材２００の半径方向外方に延出させた状態で、その先端が後記する飛散防止部材５００の外縁５５０の第１領域５５１から３０〜６０ｍｍ程度突出するように設定される。
【００３２】
このナイロンコード式回転刃Ａを用いて草刈り作業を一定時間行うと、ナイロンコード４ａの先端が磨耗し、次第に短くなってくる。その場合には、第１コード連結部２１６ａに連結されていたナイロンコード４ａを第２コード連結部２１６ｂに連結しなおし、第２コード連結部２１６ｂに連結されていたナイロンコード４ａを第３コード連結部２１６ｃに連結し直す。これにより、隣り合うコード連結部間の距離に相当する長さ分、ナイロンコード４ａの延出長さを復活させることができる。こうして第２および第３コード連結部２１６ｂ，２１６ｃに連結された２本のナイロンコード４ａの先端が再び磨耗して短くなった場合には、さらに、第３および第４コード連結部２１６ｃ，２１６ｄに連結しなおせばよい。
【００３３】
飛散防止部材５００は、上記ナイロンコード式回転刃Ａの上位において、少なくとも上記保持部材２００を平面視において覆う板状の部材であり、たとえば樹脂板または金属板によって形成される。本実施形態では、この飛散防止部材５００は、中心孔５０１を機体１００のギヤケース１２０の下部筒部１２１に套嵌するようにして、機体に支持されている。
【００３４】
本実施形態において、飛散防止部材５００は、中心孔５０１から半径方向に水平に延びて、平面視において上記保持部材２００を覆う中央円形膨出部５１０と、当該中央円形膨出部５１０に対して段落ちしてさらに半径方向外方に水平に延びて外縁５５０に至るフランジ部５２０とを有する。このフランジ部５２０の外縁５５０は、非円形の独特の形態を有しており、図１に示すように、平面視において、上記コード状切断部材４（ナイロンコード４ａ）の先端の旋回軌跡円ｃより内側であって上記保持部材２００の外周より外側に位置する第１領域５５１と、上記コード状切断部材４（ナイロンコード４ａ）の旋回軌跡円ｃより外側に位置する第２領域５５２とを有する。本実施形態において、第１領域５５１は、概して機体１００（操作管１１０）の前方側に位置し、第２領域５５２は、概して機体１００（操作管１２０）の後方側に位置している。ナイロンコード式回転刃Ａは平面視において反時計周り（図１の矢印Ｎ方向）に回転して切断作用を行うことから、実施形態では上記第１領域５５１および第２領域５５２は、次のように設定されている。
【００３５】
図１に示すように、操作管１２０が延びる方向を前後方向として、第１領域５５１は、保持部材２００の回転中心（回転刃取付け軸１４）の右方やや後方寄りから始まって上記回転中心を中心とする円弧状に反時計周り方向に所定の中心角度分延び、上記回転中心（回転刃取付け軸１４）の左方やや前方寄りにおいてなだらかに上記旋回軌跡円ｃに近づくとともにこの回転軌跡円ｃと一致するまで延びる。一方、第２領域５５２は、上記回転中心（回転刃取付け軸１４）の左方において上記第１領域５５１からなだらかに続く湾曲部５５２ａを介して後方に向けて延びる左方直線部５５２ｂと、上記回転中心（回転刃取付け軸１４）の右方において上記第１領域５５１につながって後方に延びる右方直線部５５２ｃと、これら左方直線部５５２ｂと右方直線部５５２ｃとをラウンド部を介してつなぐ直線状後縁部５５２ｄとからなる、概して矩形状をしている。
【００３６】
なお、上述したように、ナイロンコード４ａは、保持部材２００の半径方向に延出させた状態において、その先端が飛散防止部材５００の外縁５５０の第１領域５５１から３０〜６０ｍｍ程度突出するように設定される。また、草刈り作業を継続するうちにナイロンコード４ａは摩耗により短くなる。すなわち、ナイロンコード４ａの上記第１領域５５１からの突出量は変動するのであり、これに伴い上記旋回軌跡円ｃの径も変動する。したがって、飛散防止部材５００の外縁５５０の第1領域５５１と第２領域５５２は厳密に規定されるわけではなく、使用が予定されるナイロンコード４ａの延出長さに対応した旋回軌跡円ｃより内側であって保持部材２００の外周より外側に位置する第１領域５５１と、旋回軌跡円ｃより外側に位置する第２領域５５２とが当該飛散防止部材５００の外縁５５０を分割する格好で有しておればよい。本実施形態のように、操作管１２０の先端にナイロンコード式回転刃Ａを設ける場合、概して、上記第1領域５５１は前方側に位置し、上記第２領域５５２は後方側に位置するのがよい。さらに、第２領域５５２は実施形態では略矩形状をしているが、これに限定されない。
【００３７】
飛散防止部材５００のフランジ部５２０は、中央円形膨出部５１０に対して段落ちしていることから、外縁５５０はナイロンコード４ａに対してその上位に比較的近接させられる。外縁５５０の第１領域５５１とナイロンコード４ａとの間隔ｄは、たとえば５〜２５ｍｍ、さらに好ましくは１０〜２０ｍｍに設定される。
【００３８】
また、この飛散防止部材５００には、厚み方向に貫通する作業穴５５５が設けられており、上記したナイロンコード４ａの保持部材２００に対する取付け、および付け替え（長さ調整）は、実際にはこの作業穴５５５を介して行う。
【００３９】
草刈り機Ｂを用いて草刈り作業を行う際には、たとえば、スロットルレバーを操作するなどして動力源（小型ガソリンエンジン）のスロットルの開度を上げると、エンジンの回転出力により、ナイロンコード式回転刃Ａのうち保持部材１００が回転させられ、これに伴いナイロンコード４ａが旋回させられる。保持部材１００ないしナイロンコード４ａの回転数は、たとえば、５，０００〜６，０００ｒｐｍに達する。そして、ナイロンコード４ａの先端付近の旋回周速は、たとえば、３００〜５００ｋｍ／ｈに達する。操作管１２０を操作して、ナイロンコード式回転刃Ａを地面に沿ってたとえば前方に向けて移動させてゆくと、雑草等の切断対象は、飛散防止部材５００の外縁５５０の第１領域５５１によってそれ以上の半径方向内方への進入を阻止されつつ、高速で旋回するナイロンコード４ａの先端部による横方向からの強烈な衝撃を受け、切断される。
【００４０】
しかも、本実施形態のナイロンコード式回転刃Ａにおいては、保持部材２００の同一箇所から延出するナイロンコード４ａは、２本またはそれ以上となる。前述のように、回転刃Ａの回転中、ナイロンコード４ａが高速で雑草等の切断対象に高速で衝突してこれを切断するが、切断対象には、２本以上のナイロンコード４ａが同時に衝突するので切断対象が受ける衝撃力は１本のナイロンコード４ａが衝突する場合に比較して複数倍となり、したがって、比較的太い茎をもつ雑草や、乾燥して固くなった雑草等をも容易に刈り取ることができる。これにより、安全なナイロンコード式回転刃Ａを用いて行いうる草刈り作業の適用範囲が飛躍的に拡大する。しかも、従前からこの種のコード式の回転刃に用いられるナイロンコード４ａをそのまま用いることができるので、便利である。
【００４１】
その一方、飛散防止部材５００のフランジ部５２０には、後方において、ナイロンコード４ａの上位に近接して旋回軌跡円ｃよりも半径方向外方に延出して外縁５５０の第２領域５５２を形成する部位が設けられているので、高速旋回するナイロンコード４ａによって切断された雑草片がナイロンコード式回転刃Ａに対して後方に位置する作業者に向かって飛散することを効果的に阻止することができる。
【００４２】
さらに、本実施形態のナイロンコード式回転刃Ａでは、保持部材２００の下部に、保持部材２００ないし回転刃取付け軸１４に対して保持部材２００の回転軸を中心として回転可能に支持された接地部材３００を備えている。この接地部材３００には回転駆動力は作用しないので、接地部材３００が地面に接触した状態で、保持部材２００ないしナイロンコード４ａを回転させることができる。しかも、本実施形態における接地部材３００は、その底面が平坦となっており、外周に上向きに湾曲するフランジ部を有するので、地面に接地したまま、地面に対して容易に滑り移動することができる。このことは、草刈り機Ｂの操作管１２０の先端部ないしナイロンコード式回転刃Ａの重量を接地部材３００を介して地面に支持させつつ、回転刃Ａを地面に沿って移動させながら草刈り作業を行うことができることを意味する。これにより、作業者の労力が著しく軽減されるとともに、草刈り後の切株の高さが揃った、品位のよい草刈り作業を行うことができる。そして、接地部材３００は、保持部材２００における厚肉環状部２１２の内側面によって規定される空間に収容されるように配されているので、ナイロンコード４ａによって切断された雑草片が接地部材３００の内部に侵入してこの接地部材３００の取付け軸１４に対する相対回転を阻害するといった事態を効果的に回避することができる。
【００４３】
もちろん、本発明の範囲は上記した実施形態に限定されることはなく、各請求項に記載した事項の範囲内でのあらゆる設計変更は、すべて本発明の範囲に包摂される。
【００４４】
とくに、ナイロンコード式回転刃Ａにおいて、保持部材２００とこれに基端側が保持され、先端側が半径方向外方に延出するコード状切断部材４（ナイロンコード４ａ）との具体的構成は、実施形態のように一定長さのナイロンコード４ａを用いる形式のものに限らず、ケース状の保持部材の内部に長尺のナイロンコードを巻き取り式に収容し、必要に応じて一定長さずつ保持部材の外部に繰り出す形式のものであってもよい。
【００４５】
また、草刈り機としての形式についても限定されない。実施形態のように，機体として操作管の基端側にエンジンを連結した形式のもののほか、操作管の基端にフレキシブル管を介して背負い枠に搭載したエンジンを接続した形式の機体を有するものであってもよい。さらには、車輪付きのフレームにエンジンを搭載し、フレームの適部に支持したナイロンコード式回転刃を上記エンジンによって駆動する形式の機体を採用してもよい。
【００４６】
さらには、ナイロンコード式回転刃Ａが接地部材３００を備えるかどうかは選択事項である。
【符号の説明】
【００４７】
Ａ      ナイロンコード式回転刃
Ｂ      草刈り機
ｃ      先端軌跡円
４          コード状切断部材
４ａ        ナイロンコード
４ｂ        大径部
１４        回転刃取付け軸
１４ａ      ねじ穴
１５        ボルト
１７        回転刃押さえ
１７ａ      膨出部
１００      機体
１１０      操作管
１２０      ギヤケース
１２１      筒部
２００      保持部材
２１１      取付け基部
２１１ａ    取付け孔
２１２      厚肉環状部
２１３      底部壁
２１４      コード挿通空間
２１５      天井壁
２１６ａ，２１６ｂ，２１６ｃ，２１６ｄ  コード連結部
２１７      掛け回し部
２１８      ねじ
２１９      カラー
２３０      ベアリング押さえ
２３１      中心孔
３００      接地部材
３１０      内側筒部
３２０      外側筒部
３３０      環状底板部
３４０      フランジ部
３５０      ベアリング受け
３５１      中心孔
３６０      ベアリング
５００      飛散防止部材
５１０      中央円形膨出部
５２０      フランジ部
５０１      中心孔
５５０      外縁
５５１      第１領域
５５２      第２領域
５５２ａ    湾曲部
５５２ｂ    左方直線部
５５２ｃ    右方直線部
５５２ｄ    直線状後縁部
５５５      作業穴
【図１】
2018068242.tif 000003
【図２】
2018068242.tif 000004
【図３】
2018068242.tif 000005
【図４】
2018068242.tif 000006
【図５】
2018068242.tif 000007